(57)【要約】【課題】  表示領域に応じて適切な表示を行うことができる情報処理装置、情報処理方法およびプログラムを提供する。【解決手段】  情報処理装置１は、表示対象となるデータに基づいて、表示対象となるデータ中に含まれるオブジェクトの領域割合を計算する領域割合計算部５と、表示対象となるデータ中に含まれるオブジェクトの領域割合および表示対象となるデータを表示する表示領域の大きさに基づいて、表示対象となるデータの表示方式を選択する表示方式選択部６と、表示方式選択部６により選択された表示方式に基づいて、表示対象となるデータの表示を制御する表示制御部７とを備える。これにより、表示対象となるデータ中に含まれるオブジェクトの領域割合および表示対象となるデータを表示する表示領域の大きさから選択された表示方式に基づいて、表示対象となるデータの表示を制御することで、表示領域に応じた適切な表示を行うことができる。【選択図】          図１
2006099466.tif 000002
【特許請求の範囲】
【請求項１】
表示対象となるデータ中に含まれるオブジェクトの領域割合および前記表示対象となるデータを表示する表示領域の大きさに基づいて、前記表示対象となるデータの表示方式を選択する選択手段と、
前記選択手段により選択された表示方式に基づいて、前記表示対象となるデータの表示情報を生成する表示制御手段と
を備えることを特徴とする情報処理装置。
【請求項２】
前記情報処理装置は更に、前記表示対象となるデータに基づいて、前記表示対象となるデータ中に含まれるオブジェクトの領域割合を計算する計算手段を備えることを特徴とする請求項１記載の情報処理装置。
【請求項３】
前記選択手段は、前記表示対象となるデータの属性情報から前記表示対象となるデータに含まれるオブジェクトの領域割合に関する情報を得ることを特徴とする請求項１記載の情報処理装置。
【請求項４】
表示対象となるデータの属性情報および前記表示対象となるデータの表示領域の大きさに基づいて、前記表示対象となるデータの表示方式を選択する選択手段と、
前記選択手段により選択された表示方式に基づいて、前記表示対象となるデータの表示情報を生成する表示制御手段と
を備えることを特徴とする情報処理装置。
【請求項５】
前記データの属性情報は、前記表示対象となるデータ中に含まれるオブジェクトの領域割合を示す情報であることを特徴とする請求項４記載の情報処理装置。
【請求項６】
前記情報処理装置は更に、前記表示対象となるデータを所定の検索条件で絞り込む検索手段を備えることを特徴とする請求項１から請求項５記載のいずれか一項に記載の情報処理装置。
【請求項７】
前記表示対象となるデータ内に含まれるオブジェクトは、画像およびテキストのうちの少なくとも一方を含むことを特徴とする請求項１から請求項６のいずれか一項に記載の情報処理装置。
【請求項８】
前記選択手段は、前記表示対象となるデータ内に画像領域が所定領域以上ある場合、該画像領域を拡大表示する表示方式を選択することを特徴とする請求項１から請求項６のいずれか一項に記載の情報処理装置。
【請求項９】
前記選択手段は、前記表示対象となるデータ内にテキスト領域が所定領域以上ある場合、該テキスト領域内のテキストの要約を表示する表示方式を選択することを特徴とする請求項１から請求項６のいずれか一項に記載の情報処理装置。
【請求項１０】
前記選択手段は、前記表示対象となるデータ内にテキスト領域が所定領域以上ある場合、該テキスト領域内のテキストをスクロール表示する表示方式を選択することを特徴とする請求項１から請求項６のいずれか一項に記載の情報処理装置。
【請求項１１】
表示対象となるデータ中に含まれるオブジェクトの領域割合および前記表示対象となるデータを表示する表示領域の大きさに基づいて、前記表示対象となるデータの表示方式を選択する選択ステップと、
前記選択ステップにより選択された表示方式に基づいて、前記表示対象となるデータの表示情報を生成するステップと
を有することを特徴とする情報処理方法。
【請求項１２】
前記情報処理方法は更に、前記表示対象となるデータに基づいて、前記表示対象となるデータ中に含まれるオブジェクトの領域割合を計算する計算ステップを有することを特徴とする請求項１１記載の情報処理方法。
【請求項１３】
前記選択ステップは、前記表示対象となるデータの属性情報から前記表示対象となるデータに含まれるオブジェクトの領域割合に関する情報を得ることを特徴とする請求項１１記載の情報処理方法。
【請求項１４】
表示対象となるデータ中に含まれるオブジェクトの領域割合および前記表示対象となるデータを表示する表示領域の大きさを取得するステップ、
前記表示対象となるデータ中に含まれるオブジェクトの領域割合および前記表示対象となるデータを表示する表示領域の大きさに基づいて、前記表示対象となるデータの表示方式を選択する選択ステップをコンピュータに実行させるプログラム。
【請求項１５】
前記プログラムは更に、前記表示対象となるデータに基づいて、前記表示対象となるデータ中に含まれるオブジェクトの領域割合を計算する計算ステップを前記コンピュータに実行させることを特徴とする請求項１４記載のプログラム。
【発明の詳細な説明】
【技術分野】
【０００１】
本発明は、情報処理装置、情報処理方法およびプログラムに関する。
【背景技術】
【０００２】
従来、携帯型端末等の表示画面は、パーソナルコンピュータの表示画面と異なり、表示領域が小さいのが一般的である。このような表示領域が小さい場合、利用者に見易い画面を提供する技術として以下のようなものが提案されている。
【０００３】
特許文献１記載のシステムは、ユーザから要求されたコンテンツファイル及び対応する意味解析結果ファイルを検索し、その情報に基づいて、要求されたコンテンツファイルの内容をユーザの要求に従って適切に変換し、ユーザ端末装置へ送信し、表示する。
【０００４】
特許文献２記載の文書検索装置は、ユーザが入力したキーワードを用いて文書データベースを検索し、この文書群中から適合する文書を選定する。文書データから当該各文書の抜粋を作成する。この抜粋をスクロールウィンドウに掲載する。
【０００５】
特許文献３記載の携帯情報端末装置は、画像を、仮想三次元空間内に定義される立体の各面を構成するように表示し、表示されている立体を、操作に応じて回転する。小さな画面でもより多くの情報を簡単に見渡せ、簡単に任意の情報を選択できるというものである。
【０００６】
【特許文献１】特開２００２−１１６９８３号公報
【特許文献２】特開２００４−１３９１５０号公報
【特許文献３】特開２００２−２８８６９０号公報
【発明の開示】
【発明が解決しようとする課題】
【０００７】
しかしながら、従来の携帯端末装置におけるデータ表示技術はテキスト・画像・動画といったように表示対象が固定されていたため、パワーポイントファイルのようにテキスト・画像・動画などのデータが混合されているデータに対しては適当な表示が困難であった。例えば、テキストを対象とした表示技術では画像が多く含まれるデータの場合、対応することができない。
【０００８】
また、文章も含めて画像として捉えることで画像に対する表示手段を適応することも可能であるが、テキストが多く含まれているデータでは携帯端末の狭い表示領域では表示が困難であるという問題があった。
【０００９】
そこで、本発明は、上記問題点に鑑みてなされたもので、表示領域に応じて適切な表示を行うことができる情報処理装置、情報処理方法およびプログラムを提供することを目的とする。
【課題を解決するための手段】
【００１０】
上記課題を解決するために、本発明は、請求項１に記載のように、表示対象となるデータ中に含まれるオブジェクトの領域割合および前記表示対象となるデータを表示する表示領域の大きさに基づいて、前記表示対象となるデータの表示方式を選択する選択手段と、前記選択手段により選択された表示方式に基づいて、前記表示対象となるデータの表示情報を生成する表示制御手段とを備える情報処理装置である。本発明によれば、表示対象となるデータ中に含まれるオブジェクトの領域割合および前記表示対象となるデータを表示する表示領域の大きさから選択された表示方式に基づいて、表示対象となるデータの表示を制御することで、表示領域に応じて適切な表示を行うことができる。
【００１１】
本発明の情報処理装置は、請求項２に記載のように、更に、前記表示対象となるデータに基づいて、前記表示対象となるデータ中に含まれるオブジェクトの領域割合を計算する計算手段を備える。本発明によれば、表示対象となるデータから表示対象となるデータ中に含まれるオブジェクトの領域割合を計算することができる。
【００１２】
前記選択手段は、請求項３に記載のように、前記表示対象となるデータの属性情報から前記表示対象となるデータに含まれるオブジェクトの領域割合に関する情報を得るようにしてもよい。
【００１３】
本発明は、請求項４に記載のように、表示対象となるデータの属性情報および前記表示対象となるデータの表示領域の大きさに基づいて、前記表示対象となるデータの表示方式を選択する選択手段と、前記選択手段により選択された表示方式に基づいて、前記表示対象となるデータの表示情報を生成する表示制御手段とを備えることを特徴とする情報処理装置である。本発明によれば、表示領域に応じて適切な表示を行うことができる。
【００１４】
前記データの属性情報は、請求項５に記載のように、前記表示対象となるデータ中に含まれるオブジェクトの領域割合を示す情報である。これにより、表示対象となるデータ中に含まれるオブジェクトの領域割合に応じて適切な表示を行うことができる。
【００１５】
本発明の情報処理装置は、請求項６に記載のように、更に、前記表示対象となるデータを所定の検索条件（例えばキーワード）で絞り込む検索手段を備えている。
【００１６】
請求項７に記載のように、前記表示対象となるデータ内に含まれるオブジェクトは、画像およびテキストのうちの少なくとも一方を含んでいる。
【００１７】
前記選択手段は、請求項８に記載のように、前記表示対象となるデータ内に画像領域が所定領域以上ある場合、該画像領域を拡大表示する表示方式を選択する。本発明によれば、表示対象となるデータ内に画像領域が所定範囲以上ある場合、画像領域を拡大表示するので、画像領域が大きい場合でも、表示領域の大きさに合った表示を行うことができる。これにより、利用者に閲覧し易い表示を提供することができる。
【００１８】
前記選択手段は、請求項９に記載のように、前記表示対象となるデータ内にテキスト領域が所定領域以上ある場合、該テキスト領域内のテキストの要約を表示する表示方式を選択する。本発明によれば、表示対象となるデータ内にテキスト領域が所定範囲以上ある場合、テキスト領域内のテキストの要約を表示するので、テキスト領域が多くある場合でも、表示領域の大きさに合った表示を行うことができる。これにより、利用者に閲覧し易い表示を提供することができる。
【００１９】
前記選択手段は、請求項１０に記載のように、前記表示対象となるデータ内にテキスト領域が所定領域以上ある場合、該テキスト領域内のテキストをスクロール表示する表示方式を選択する。本発明によれば、表示対象となるデータ内にテキスト領域が所定範囲以上ある場合、該テキスト領域内のテキストをスクロール表示する表示方式を選択するので、テキスト領域が多くある場合でも、表示領域の大きさに合った表示を行うことができる。これにより、利用者に閲覧し易い表示を提供することができる。
【００２０】
本発明は、請求項１１に記載のように、表示対象となるデータ中に含まれるオブジェクトの領域割合および前記表示対象となるデータを表示する表示領域の大きさに基づいて、前記表示対象となるデータの表示方式を選択する選択ステップと、前記選択ステップにより選択された表示方式に基づいて、前記表示対象となるデータの表示情報を生成するステップとを有することを特徴とする情報処理方法である。本発明によれば、表示対象となるデータ中に含まれるオブジェクトの領域割合および前記表示対象となるデータを表示する表示領域の大きさから選択された表示方式に基づいて、表示対象となるデータの表示を制御することで、表示領域に応じて適切な表示を行うことができる。
【００２１】
本発明の情報処理方法は、請求項１２に記載のように、更に、前記表示対象となるデータに基づいて、前記表示対象となるデータ中に含まれるオブジェクトの領域割合を計算する計算ステップを有する。本発明によれば、表示対象となるデータから表示対象となるデータ中に含まれるオブジェクトの領域割合を計算することができる。
【００２２】
前記選択ステップは、請求項１３に記載のように、前記表示対象となるデータの属性情報から前記表示対象となるデータに含まれるオブジェクトの領域割合に関する情報を得るようにしてもよい。
【００２３】
本発明は、請求項１４に記載のように、表示対象となるデータ中に含まれるオブジェクトの領域割合および前記表示対象となるデータを表示する表示領域の大きさを取得するステップ、前記表示対象となるデータ中に含まれるオブジェクトの領域割合および前記表示対象となるデータを表示する表示領域の大きさに基づいて、前記表示対象となるデータの表示方式を選択する選択ステップをコンピュータに実行させるプログラムである。本発明によれば、表示対象となるデータ中に含まれるオブジェクトの領域割合および前記表示対象となるデータを表示する表示領域の大きさから選択された表示方式に基づいて、表示対象となるデータの表示を制御することで、表示領域に応じて適切な表示を行うことができる。
【００２４】
前記プログラムは、請求項１５に記載のように、更に、前記表示対象となるデータに基づいて、前記表示対象となるデータ中に含まれるオブジェクトの領域割合を計算する計算ステップを前記コンピュータに実行させる。本発明によれば、表示対象となるデータから表示対象となるデータ中に含まれるオブジェクトの領域割合を計算することができる。
【発明の効果】
【００２５】
本発明によれば、表示領域に応じて適切な表示を行うことができる情報処理装置、情報処理方法およびプログラムを提供できる。
【発明を実施するための最良の形態】
【００２６】
以下、本発明を実施するための最良の形態について説明する。図１は、本実施形態によるデータ表示装置（情報処理装置）のブロック構成図である。図１に示すように、データ表示装置１は、ドキュメントデータベース２、検索要求入力部３、データ検索部４、領域割合計算部５、表示方式選択部６および表示制御部７を備える。符号８はディスプレイを示す。
【００２７】
ドキュメントデータベース２は、多数のドキュメントを格納する。検索要求入力部３は、外部から入力されたキーワード等の検索条件を受け付ける。データ検索部４は、ドキュメントデータベース２に格納されたドキュメントの中から表示対象となるデータをキーワード等の検索条件で絞りこむ。
【００２８】
領域割合計算部５は、データ検索部４で検索された表示対象となるデータに基づいて、表示対象となるデータ中に含まれるオブジェクトの領域割合を計算する。ここで、表示対象となるデータ内に含まれるオブジェクトは、例えば画像およびテキストを含む。この領域割合計算部５は、例えば画像処理技術を用いて、画像領域とテキスト領域を判別して、表示対象となるデータ中に含まれるオブジェクトの領域割合を計算する。また、表示対象となるデータが例えばＰｏｗｅｒＰｏｉｎｔ等のアプリケーションの場合、ＯＳ（Operating System）は、ＰｏｗｅｒＰｏｉｎｔが立ち上がった際に、ＰｏｗｅｒＰｏｉｎｔの中身を抽出し、ライブラリーを作成する。領域割合計算部５は、このライブラリーの中にある属性情報から、表示対象となるデータ中に含まれるオブジェクトの領域割合を計算するようにしてもよい。
【００２９】
表示方式選択部６は、表示対象となるデータ中に含まれるオブジェクトの領域割合および表示対象となるデータを表示する表示領域の大きさに基づいて、表示対象となるデータの表示方式を選択する。表示対象となるデータを表示する表示領域の大きさは、ディスプレイ８に応じて異なるものである。表示方式選択部６は、表示制御部７を介して、予めディスプレイ８に対応した、表示対象となるデータを表示する表示領域の大きさ（解像度等）を得ておく。また、表示方式選択部６は、表示対象となるデータの属性情報に表示対象となるデータに含まれるオブジェクトの領域割合に関する情報が含まれている場合、表示対象となるデータの属性情報から、表示対象となるデータに含まれるオブジェクトに関する情報を取得するようにしてもよい。この場合、領域割合計算部５での領域割合の計算を省略することができる。
【００３０】
表示制御部７は、表示方式選択部６により選択された表示方式に基づいて、表示対象となるデータの表示情報を生成する。これにより、ディスプレイ８に表示対象となるデータが表示される。
【００３１】
次に、表示方式選択部６による表示方式の選択例について説明する。図４は、画像領域が多い場合の表示方式を説明する図であり、（ａ）は通常の表示状態を示す図、（ｂ）は画像領域を拡大した表示状態を示す図、（ｃ）は画像領域を拡大してテキスト領域を重ね合わせて表示した状態を示す図である。図４において、符号１０はディスプレイ８の表示領域、１１は画像領域、１２はテキスト領域をそれぞれ示す。
【００３２】
表示方式選択部６は、表示対象となるデータ内に画像領域１１が所定領域以上存在する場合、即ち画像領域１１が大きい場合、画像領域１１を拡大表示する表示方式を選択する。表示制御部７は、表示方式選択部６で選択された表示方式に基づいて、図４（ｂ）に示すように、画像領域１１を抽出し、拡大して表示する。このとき、表示制御部７は、同図（ｃ）に示すように、画像領域１１を拡大して表示するとともに、テキスト領域１２を重ね合わせて表示するようにしてもよい。このように、表示対象となるデータ中の画像領域１１の割合が大きい場合には、画像領域をメインとして表示することで、ディスプレイ８の表示領域１０が小さい場合でも、閲覧者に理解し易い表示を提供することができる。
【００３３】
図５は、テキスト領域の割合が多い場合の表示方式を説明する図であり、（ａ）は通常の表示状態を示す図、（ｂ）はテキストの要約を表示した状態を示す図、（ｃ）はテキストの要約をスクロール表示した状態を示す図である。図５において、符号２０はディスプレイ８の表示領域を示す。表示方式選択部６は、表示対象となるデータ内にテキスト領域２１乃至２３が所定領域以上存在する場合、即ちテキスト領域２１乃至２３が大きい場合、テキスト領域２１乃至２３内のテキストの要約を表示する表示方式を選択する。また、表示方式選択部６は、表示対象となるデータ内にテキスト領域２１乃至２３が所定領域以上存在する場合、即ちテキスト領域２１乃至２３が大きい場合、テキスト領域２１乃至２３内のテキストをスクロール表示する表示方式を選択する。
【００３４】
表示制御部７は、図５（ｂ）に示すように、表示方式選択部６で選択した表示方式に基づいて、同図（ａ）に示したテキスト領域２１乃至２３内のテキストを要約し、この要約したテキスト２４乃至２６を表示する。また、表示制御部７は、図５（ｃ）に示すように、同図（ａ）に示したテキスト領域２１乃至２３内のテキストを要約したテキストをそれぞれスクロール表示２７乃至２９するようにしてもよい。このように、テキスト領域の割合が大きい場合には、テキストをメインとして表示をすることで、ディスプレイ８の表示領域が小さい場合でも、閲覧者に理解し易い表示を提供することができる。
【００３５】
図６は、テキスト領域と画像領域の割合が近い場合の表示方式を説明する図であり、（ａ）は通常の表示状態を示す図、（ｂ）は画像領域とテキスト領域を分離して表示した場合の状態を示す図である。図６において、符号３０はディスプレイ８の表示領域、３１は画像領域、３２はテキスト領域をそれぞれ示す。表示方式選択部６は、画像領域３１とテキスト領域３２の割合が近い場合、画像領域とテキスト領域を分離し、画像領域を抽出して拡大表示し、テキスト領域についてはテキストをスクロール表示し、さらに、テキスト領域があった場所を表示領域内に表示する表示方式を選択する。
【００３６】
表示制御部７は、表示方式選択部６で選択された表示方式に基づいて、画像領域３１とテキスト領域３２を分離し、画像領域３１を抽出して拡大表示し、テキスト領域３２についてはテキストをスクロール表示３３し、さらに、テキストがあった場所３４および３５を表示領域３０内に表示する。これにより、ディスプレイ８の表示領域に応じて閲覧者に理解し易い表示を提供することができる。
【００３７】
次に、動作について説明する。図２は、データの属性を用いた表示方式の選択時のフローチャートである。ステップＳ１１で、検索要求入力部３は、検索キーワードを受け付ける。ステップＳ１２で、データ検索部４は、検索キーワードに基づいて、ドキュメントデータベース２にアクセスして、ドキュメントを検索し、表示対象となるデータを抽出する。ステップＳ１３で、表示方式選択部６は、データ検索部４により検索されたドキュメントのデータ属性に基づいて、表示方式を決定し、ステップＳ１４で、表示方式選択部６は、表示方式を選択する。
【００３８】
ここで、ドキュメントのデータ属性には、例えば表示対象となるデータに含まれるオブジェクトの領域割合に関する情報等が含まれている。ステップＳ１５で、表示制御部７は、表示方式選択部６により選択された表示方式に基づいて、表示対象となるデータの表示を制御する。これにより、ディスプレイ８に表示対象となるデータが表示される。
【００３９】
図３は、データ中の画像と文書の割合を用いた表示方式の選択時のフローチャートである。ステップＳ２１で、表示方式選択部６にデータが入力される。ステップＳ２２で、領域割合計算部５は、表示対象となるデータ中の画像領域ａとテキスト領域ｂの割合Ｘ（ａ／ｂ）を計算する。ステップＳ２３で、表示方式選択部６は、Ｘ＞Ｘ１の場合、即ち画像領域ａとテキスト領域ｂとの割合Ｘが所定のしきい値Ｘ１よりも大きい場合、ステップＳ２４で、画像領域をメインとした表示方式を選択する。
【００４０】
図４（ｂ）に示すように、表示制御部７は、画像領域１１を抽出し、拡大して表示する。また、同図（ｃ）に示すように、画像領域１１を抽出し、拡大して表示するとともに、テキスト領域１２を重ね合わせて表示するようにしてもよい。このように、画像領域の割合が大きい場合には、画像領域をメインとして表示することで、ディスプレイ８の表示領域が小さい場合でも、閲覧者に理解し易い表示を提供することができる。
【００４１】
ステップＳ２３で、表示方式選択部６は、Ｘ≦Ｘ１の場合、即ち画像領域ａとテキスト領域ｂとの割合Ｘが所定のしきい値Ｘ１より小さい場合、ステップＳ２５に進む。ステップＳ２５で、表示方式選択部６は、Ｘ＜Ｘ２の場合、即ち画像領域ａとテキスト領域ｂとの割合Ｘが所定のしきい値Ｘ２よりも小さい場合、ステップＳ２６で、テキスト領域をメインとした表示方式を選択する。
【００４２】
表示制御部７は、図５（ｂ）に示すように、同図（ａ）に示したテキスト領域２１乃至２３内のテキストを要約したテキスト２４乃至２６を表示する。また、表示制御部７は、図５（ｃ）に示すように、同図（ａ）に示したテキスト領域２１乃至２３内のテキストを要約したテキストをそれぞれスクロール表示２７乃至２９するようにしてもよい。このように、テキスト領域の割合が大きい場合には、テキスト領域をメインとして表示をすることで、ディスプレイ８の表示領域が小さい場合でも、閲覧者に理解し易い表示を提供することができる。
【００４３】
ステップＳ２５で、Ｘ１＞Ｘ＞Ｘ２の場合、ステップＳ２７で、画像領域とテキスト領域の両方のバランスのとれた表示方式を選択する。表示制御部７は、画像領域３１とテキスト領域３２を分離し、画像領域３１を抽出して拡大表示し、テキスト領域３２についてはテキストをスクロール表示３３し、さらに、テキストがあった場所３４および３５を表示領域３０内に表示する。これにより、ディスプレイ８の表示領域に応じて閲覧者に理解し易い表示を提供することができる。
【００４４】
本実施形態によれば、表示対象となるデータ中に含まれるオブジェクトの領域割合および前記表示対象となるデータを表示する表示領域の大きさから選択された表示方式に基づいて、表示対象となるデータの表示を制御することで、表示領域に応じて適切な表示を行うことができる。
【００４５】
なお、本発明による情報処理方法は、例えば、ＣＰＵ（Central Processing Unit）、ＲＯＭ(Read Only Memory)、ＲＡＭ(Random Access Memory)等を用いて実現され、プログラムをハードディスク装置や、ＣＤ−ＲＯＭ、ＤＶＤまたはフレキシブルディスクなどの可搬型記憶媒体等からインストールし、または通信回路からダウンロードし、ＣＰＵがこのプログラムを実行することで、各ステップが実現される。
【００４６】
このプログラムは、表示対象となるデータに基づいて、表示対象となるデータ中に含まれるオブジェクトの領域割合を計算する計算ステップ、表示対象となるデータ中に含まれるオブジェクトの領域割合および表示対象となるデータを表示する表示領域の大きさを取得するステップ、表示対象となるデータ中に含まれるオブジェクトの領域割合および表示対象となるデータを表示する表示領域の大きさに基づいて、表示対象となるデータの表示方式を選択する選択ステップをコンピュータに実行させる。これにより、表示対象となるデータ中に含まれるオブジェクトの領域割合および表示対象となるデータを表示する表示領域の大きさから選択された表示方式に基づいて、表示対象となるデータの表示を制御することで、ディスプレイ８の表示領域に応じて適切な表示を行うことができる。なお、表示方式選択部６が選択手段に、表示制御部７が表示制御手段に、領域割合計算部５が計算手段にそれぞれ対応する。
【００４７】
以上本発明の好ましい実施例について詳述したが、本発明は係る特定の実施例に限定されるものではなく、特許請求の範囲に記載された本発明の要旨の範囲内において、種々の変形、変更が可能である。
【図面の簡単な説明】
【００４８】
【図１】本実施形態によるデータ表示装置のブロック構成図である。
【図２】データの属性を用いた表示方式の選択時のフローチャートである。
【図３】データ中の画像と文書の割合を用いた場合の表示方式の選択時のフローチャートである。
【図４】本実施形態による画像領域が多い場合の表示方式を説明する図である。
【図５】本実施形態によるテキスト領域の割合が多い場合の表示方式を説明する図である。
【図６】本実施形態によるテキスト領域と画像領域の割合が近い場合の表示方式を説明する図である。
【符号の説明】
【００４９】
１  情報処理装置
２  ドキュメントデータベース
３  検索要求入力部
４  データ検索部
５  領域割合計算部
６  表示方式選択部
７  表示制御部
８  ディスプレイ
【図１】
2006099466.tif 000003
【図２】
2006099466.tif 000004
【図３】
2006099466.tif 000005
【図４】
2006099466.tif 000006
【図５】
2006099466.tif 000007
【図６】
2006099466.tif 000008